(57)【要約】【課題】半導体の発光部による発光体、又は光伝搬体の発光部による発光体の光が、直進光と散光である発光体２である。【解決手段】基本的な構成は次の４つである。１．パッケージ又は発光部に、光の直進部分を有し、光の直進部分以外の部分に、光の拡散部を有する。２．パッケージに反射部を有する。３．パッケージ又は発光部と保護パッケージを一体にする。４．パッケージ又は発光部に、カバーケースを着脱自在又は固定する。【選択図】　　図３９
2004014895.tif 000002
【特許請求の範囲】
【請求項１】
発光部を有するパッケージの表面の一部分に、複数個の透光性のビーズを有する発光体２。
【請求項２】
発光部を有するパッケージの表面の一部分又は全部分に、複数個の透光性のビーズを２種類以上有する発光体２。
【請求項３】
複数個の透光性のビーズをパッケージの内部に有する、請求項１及び２記載の発光体２。
【請求項４】
発光部を有するパッケージの表面の一部分に、複数個の透光性の凸部又は透光性の凹部を有する発光体２。
【請求項５】
発光部を有するパッケージの表面の一部分又は全部分に、複数個の、透光性の凸部又は透光性の凹部を２種類以上有する発光体２。
【請求項６】
発光部を有するパッケージの表面の一部分又は全部分に、複数個の、透光性の凸部と透光性の凹部を２種類以上有する発光体２。
【請求項７】
複数個の、透光性の凸部又は透光性の凹部を、パッケージの内部に有する、請求項４、５及び６記載の発光体２。
【請求項８】
発光部を有するパッケージの表面の一部分又は全部分に、複数個の透光性のビーズ又は透光性の凸部又は透光性の凹部の、いずれかを２種類以上を有する発光体２。
【請求項９】
複数個の、透光性のビーズ又は透光性の凸部又は透光性の凹部の、いずれか２種類以上をパッケージの内部に有する発光体２。
【請求項１０】
発光部を有するパッケージに、１個又は２個以上の反射部を有する、請求項１、２、３、４、５、６、７、８及び９記載の発光体２。
【請求項１１】
カバーケースを着脱自在又は固定して有する、請求項１、２、３、４、５、６、７、８、９及び１０記載の発光体２。
【請求項１２】
半導体の発光部の代わりに、光伝搬体の発光部を用いた、請求項１、２、３、４、５、６、７、８、９、１０及び１１記載の発光体２。
【発明の詳細な説明】
【０００１】
【産業上の利用分野】
本発明は、半導体の発光部より発光する光を、この発光部を有するパッケージの任意部分に透明部分を設けて、この透明部分から出る光は直進出来るようにし、このパッケージの透明部分以外の任意部分から出る光は散光するようにした、半導体の発光部を用いた発光体２、及び光伝搬体の発光部を用いた発光体２に関する。
【０００２】
【従来の技術】
従来の半導体の発光による発光体には、例えば発光ダイオードやレーザーダイオードや液晶等があり、これらの発光体はリードフレーム等の電極を取りつけた発光部を、例えば樹脂やガラス等のパッケージで覆ったものであり、このパッケージには砲弾状、角柱状、平面状等の各種形状がある。しかし、このパッケージの上部（別称、正面ともいう）から放射される光は非常に明るく、パッケージの他の方向（別称、斜め横或いは側面ともいう）へ出る光は弱く、パッケージの形状によっては点状や線状に放射する。また、従来の光伝搬体の発光部の光、例えば光ファイバーの断面の発光部の上部（別称、正面ともいう）から放射される光は非常に明るく、この発光部の他の方向（別称、斜め横或いは側面ともいう）へ出る光は弱く暗い。
【０００３】
【発明が解決しようとする課題】
本発明は、半導体の発光部より発光した光が、パッケージに有した任意の透明部分を通過すると直進光であり、このパッケージの透明部分以外の任意部分に有した光拡散部分を通過すると散光する発光体２、又は半導体の発光部より発光した光が、パッケージの一部分又は全部分に有した２種類以上の光拡散部分を通過すると散光する発光体２、或いは光伝搬体の発光部より発光した光が、この発光部に有した任意の透明部分を通過すると直進光であり、透明部分以外の任意部分に有した光拡散部分を通過した光は散光する発光体２、又は光伝搬体の発光部より発光した光が、この発光部の一部分又は全部分に有した２種類以上の光拡散部分を通過すると散光する発光体２、又は前記のそれぞれの発光体２に保護パッケージやカバーケースを有した発光体２を提供することを目的としている。
【０００４】
【課題を解決するための手段】
本発明は、１つ又は２つ以上の半導体による発光部を有し、形状、大きさ、屈折率、素材、色等を限定しない透光性のケース（本発明では、パッケージという）の、任意の部分に透明部分を有し、透明部分以外の任意の部分には形状、大きさ、屈折率、素材、色等を限定しない透光性の粒子（本発明では、ビーズという）を複数個有した手段である。
【０００５】
本発明は、パッケージの表面の一部分又は全部分に、複数個の大きさの異なるビーズを２種類以上有した手段である。
【０００６】
本発明は、パッケージの表面の一部分又は全部分に、複数個の光透過特性の異なるビーズを２種類以上有した手段である。
【０００７】
本発明は、パッケージの内部の一部分又は全部分に、複数個のビーズを有した手段である。
【０００８】
本発明は、パッケージの内部の一部分又は全部分に、複数個の大きさの異なるビーズを有した手段である。
【０００９】
本発明は、パッケージの内部の一部分又は全部分に、複数個の光透過特性の異なるビーズを有した手段である。
【００１０】
本発明は、パッケージの表面に、複数個の、形状、大きさ、高さ、屈折率、素材、色等を限定しない透光性の凸部（本発明では、凸部という）を有した手段である。
【００１１】
本発明は、パッケージの表面に、複数個の光透過特性の異なる凸部を２種類以上有した手段である。
【００１２】
本発明は、パッケージに複数個の、形状、大きさ、高さ、屈折率、素材、色を限定しない透光性の凹部（本発明では、凹部という）を有した手段である。
【００１３】
本発明は、パッケージの表面に、複数個の光透過特性の異なる凹部を２種類以上有した手段である。
【００１４】
本発明は、パッケージの表面に、複数個の凸部と凹部を有した手段である。
【００１５】
本発明は、パッケージの内部に、複数個の凸部を有した手段である。
【００１６】
本発明は、パッケージの内部に、複数個の凹部を有した手段である。
【００１７】
本発明は、パッケージの内部に、複数個の凸部と凹部を有した手段である。
【００１８】
本発明は、パッケージの表面に、ビーズ又は凸部又は凹部の、いずれか２種類以上を有した手段である。
【００１９】
本発明は、パッケージの内部に、ビーズ又は凸部又は凹部の、いずれか２種類以上を有した手段である。
【００２０】
本発明は、ビーズ又は凸部又は凹部を有したパッケージと保護パッケージを一体にした手段である。
【００２１】
本発明は、ビーズ又は凸部又は凹部を有したパッケージに、形状、大きさ、反射率、反射角度、素材、色等を限定しない反射部分（本発明では、反射部という）を有した手段である。
【００２２】
本発明は、ビーズ又は凸部又は凹部又は反射部を有したパッケージに、形状、大きさ、屈折率、色に限定されない透光性素材でできており、一面又は両面又は側面が開口している中空のケース（本発明では、カバーケースという）を着脱自在又は固着して有した手段である。
【００２３】
【発明の実施の形態】
まず、半導体の発光部を用いた発光体２について述べる。
パッケージの表面の一部分又は全部分に、球面状、多角形状、平面状等の任意形状で、０．０５ミリや０．１ミリ等の任意の大きさで、屈折率０．９や１．０等の任意屈折率で、ガラス、樹脂、鉱石等の任意素材で、無色又は着色の透光性の粒子（本発明では、ビーズという）を透光性の接着剤や透光性の樹脂で固着させるか、融着や圧着によって固着させればよい。又は、ビーズをパッケージの内面に有するか、パッケージに内包すればよい。又はパッケージとビーズを成形等により一体にすればよい。又は、このパッケージと保護パッケージを、透光性の接着剤や透光性の樹脂や成形等により一体にするか、このパッケージをカバーケースで覆う。
パッケージの表面の一部分又は全部分に、球面状、多角形状、平面状等の任意形状で、０．０１ミリや０．１ミリ等の任意の高さで、０．０１ミリや０．１ミリ等の任意の大きさで、０．５や１．５等の任意屈折率で、無色透明や着色した凸部（本発明では、凸部という）を複数個有するか、或いは、パッケージの表面の一部分又は全部分に、球面状、多角形状等の任意形状で、０．０１や０．１ミリミリ等の任意の深さで、０．０１ミリや０．１ミリ等の任意の大きさで、０．５や１．５等の任意屈折率で、無色透明や着色した凹部（本発明では、凹部という）を複数個有するか、凸部又は凹部をパッケージの内面に有するか、パッケージに内包すればよい。又はパッケージと凹部又は凸部を成形等により一体にすればよい。又は、このパッケージと保護パッケージを、透光性の接着剤や透光性の樹脂や成形等により一体にするか、このパッケージをカバーケースで覆う。
ビーズ又は凸部又は凹部の、いずれか２種類以上を組み合わせてパッケージ表面に固着するか、パッケージ内面に有するか、パッケージに内包すればよい。又はこのパッケージと保護パッケージを、透光性の接着剤や透光性の樹脂や成形等により一体にするか、このパッケージをカバーケースで覆う。
以上のようにすることにより半導体の発光部より発光する光が、パッケージに固着又は内面に有した、又はパッケージに内包されたビーズ、又は凸部、又は凹部を通過すると拡散してパッケージの外部に散光する。ビーズ、又は凸部、又は凹部に透光性の着色が施されている場合は、発光部より発光する光の色と着色された色が混ざった散光色となる。ビーズ又は凸部又は凹部が設けられたパッケージに保護パッケージやカバーケースを有することにより、このパッケージを保護すると共に、保護パッケージやカバーケースの素材、屈折率、着色又は形状等により、光の変色や集光及び散光の効果を変えられる。
本発明のように、パッケージの任意の一部に透明部分を有し、パッケージの透明部以外の任意の部分にビーズ又は凸部又は凹部を有することにより、半導体の発光部より発光する光は、直進光と散光の２種類となる。ビーズ又は凸部又は凹部を着色することで、発光部の発光色とは異なった発光色を得られる。
【００２４】
次に、光伝搬体の発光部を用いた発光体について述べる。
面状光伝搬体、筒状光伝搬体、棒光伝搬体、球状光伝搬体、線状等の光伝搬体の発光部に、半導体の発光部を用いた場合と同様に、ビーズ又は凸部又は凹部を設ける形態をとる。これにより、光伝搬体の発光部より出る光が、前記ビーズ又は前記凸部又は前記凹部を通過することで拡散され、散光して光伝搬体の発光部の外部に放射される。前記ビーズ又は前記凸部又は前記凹部に透光性の着色が施されている場合は、光伝搬体の発光部の光と着色された色が混ざった散光色となる。また、この光伝搬体の発光部が保護パッケージやカバーケースを有することにより、この光伝搬体の発光部を保護し、保護パッケージやカバーケースの材質又は着色等により、光の色や集光及び散光の効果を変えられる。
【００２５】
【実施例】
まず、半導体の発光部を用いた発光体２について述べる。
半導体の発光部を用いた発光体に、発光ダイオード、レーザーダイオード、液晶等がある。本実施例は発光ダイオードを用いるが、本発明の発光体２は、発光ダイオードに限定されるものではない。
発光ダイオードの主な構成は、発光ダイオードを発光させるための発光部１と、この発光部を有する透光性素材であるケースすなわちパッケージと、外部より発光部に電気を供給するための電極２等である。実施例をわかりやすく説明するために、パッケージをパッケージ上部３、パッケージ中部４、パッケージ下部５、底面６の４つの部分に分割する。
【００２６】
第１の実施例は、砲弾状の発光ダイオードのパッケージの表面に、ビーズを固着した場合である。
図１に示したように、パッケージ上部３が透明部分７で、パッケージ中部４、パッケージ下部５及びパッケージ底面６の表面に、屈折率０．９、直径０．１ミリ、球状で無色透明又は透光性の着色をしたガラスのビーズ１　８ａ（以下、ビーズ１という）を透明接着剤で固着した発光体２である。図２に示したように、パッケージ上部３の任意の部分が透明部分７で、パッケージ上部３の透明部分７以外の表面、パッケージ中部４、パッケージ下部５及びパッケージ底面６の表面に、ビーズ１を透明接着剤で固着した発光体２である。図３に示したように、パッケージ下部５及び底面６が透明部分７で、パッケージ上部３及びパッケージ中部４の表面に、ビーズ１を透明接着剤で固着した発光体２である。図４に示したように、パッケージ中部４が透明部分７で、パッケージ上部３、パッケージ下部５及び底面６の表面に、ビーズ１を透明接着剤で固着した発光体２である。図５に示したように、パッケージ上部３、パッケージ下部５及び底面６が透明部分７で、パッケージ中部４に、ビーズ１を透明接着剤で固着した発光体２である。図６に示したように、パッケージ上部３、パッケージ中部４及びパッケージ下部５の表面の半周部分が透明部分７で、パッケージ上部３、パッケージ中部４及びパッケージ下部５の透明部分７以外の表面及び底面６に、ビーズ１を透明接着剤で固着した発光体２である。図７に示したように、パッケージ上部３及びパッケージ中部４の表面の半周部分及び底面６が透明部分７で、パッケージ上部３及びパッケージ中部４の透明部分７以外の表面に、ビーズ１を透明接着剤で固着した発光体２である。図８に示したように、パッケージ上部３の表面に、ビーズ１と異なる大きさのビーズ、例えば屈折率０．９、直径０．３ミリ、球状で無色透明又は透光性の着色をしたガラスのビーズ２　８ｂ（以下、ビーズ２という）を透明接着剤で固着し、パッケージ中部４、パッケージ下部５及び底面６の表面に、ビーズ１を透明接着剤で固着した発光体２である。図９に示したように、パッケージ上部３が透明部分７で、パッケージ中部４の表面に、ビーズ１を透明接着剤で固着し、パッケージ下部５及び底面６の表面に、ビーズ２を透明接着剤で固着した発光体２である。図１０に示したように、パッケージ上部３の表面に、ビーズ１及びビーズ２とは異なる光透過特性のビーズ、例えば屈折率１．１、直径０．１ミリ、球状で無色透明又は透光性の着色をしたガラスのビーズ３　８ｃ（以下、ビーズ３という）を透明接着剤で固着し、パッケージ中部４、パッケージ下部５及び底面６の表面に、ビーズ１を透明接着剤で固着した発光体２である。図１１に示したように、パッケージ上部３が透明部分７で、パッケージ中部４に、ビーズ１を透明接着剤で固着し、パッケージ下部５及び底面６の表面にビーズ３を透明接着剤で固着した発光体２である。第一の実施例の図１〜図１１において、ビーズ１、ビーズ２、ビーズ３を、任意に置換した発光体２である。
【００２７】
第２の実施例は、平面状の発光ダイオードの、パッケージの表面にビーズを固着した場合である。
図１２に示したように、パッケージ上部３の表面の任意の部分に、ビーズ１を透明接着剤で固着した発光体２である。図１３に示したように、パッケージ上部３の表面の任意の部分に、ビーズ２を透明接着剤で固着し、パッケージ上部３の表面でビーズ２が固着されていない任意の部分に、ビーズ１を透明接着剤で固着した発光体２である。図１４に示したように、パッケージ上部３の表面の任意の部分に、ビーズ３を透明接着剤で固着し、パッケージ上部３の表面でビーズ３が固着されていない任意の部分に、ビーズ１を透明接着剤で固着した発光体２である。図１５に示したように、平面状のパッケージ上部３の表面に、パッケージの凸部９がある場合は、パッケージの凸部９及びパッケージ上部３の表面で任意の部分に、ビーズ１を透明接着剤で固着した発光体２である。図１６に示したように、平面状のパッケージ上部３の表面に、パッケージの凹部１０がある場合は、パッケージの凹部１０の表面で任意の部分に、ビーズ１を透明接着剤で固着した発光体２である。図１７に示したように、平面状のパッケージ上部３の表面に、パッケージの凹部１０があり、発光部１がパッケージの凹部１０に露出している場合では、パッケージの凹部１０の表面で任意の部分に、ビーズ１を透明接着剤で固着した発光体２である。第２の実施例の図１２〜図１７において、ビーズ１をビーズ２又はビーズ３に、ビーズ２をビーズ１又はビーズ３に、ビーズ３をビーズ１又はビーズ２に置換した発光体２である。
【００２８】
第３の実施例は、第１の実施例及び第２の実施例の発光体２のビーズを、パッケージの内面に有した場合である。
図１８に示したように、パッケージ上部３が透明部分７で、パッケージ中部４、パッケージ下部５及びパッケージ底面６の内面に、ビーズ１を有した発光体２である。図１９に示したように、パッケージ上部３の内面にビーズ１を有した発光体２である。
図１８及び図１９のビーズ１を、ビーズ２又はビーズ３に置換した発光体２である。図１８のビーズ１の代わりに、ビーズ１又はビーズ２又はビーズ３を、それぞれ２種類以上置換した発光体２である。図１〜図１１の発光体２のビーズ１、ビーズ２又はビーズ３を、図１８に習って、パッケージ上部３又はパッケージ中部４又はパッケージ下部５又は底面６の内面に有した発光体２である。図１２〜図１７の発光体２のビーズ１、ビーズ２、ビーズ３を、図１９に習って、パッケージ上部３又はパッケージの凸部９又はパッケージの凹部１０の内面に有した発光体２である。
【００２９】
第４の実施例は、第１の実施例〜第３の実施例の発光体２を、任意形状、任意の大きさ、任意屈折率、任意素材、任意色で透光性の保護パッケージ１３（本発明では、保護パッケージ１３という）と、一体にした場合である。
図２０に示したように、図１に示した発光体２を保護パッケージ１３に内包して、保護パッケージ１３と成形により一体にした発光体２である。図２から図１１の発光体２を、図２０に示したように、保護パッケージ１３に内包して、保護パッケージ１３と成形により一体にした発光体２である。図２０のビーズ１をビーズ２又はビーズ３に置換した発光体２である。図２１に示したように、パッケージ上部３、パッケージ中部４、パッケージ下部５、底面６の表面にビーズ１を透明接着剤で固着したパッケージを、保護パッケージ１３に内包して、保護パッケージ１３と成形により一体にした発光体２である。図２１のビーズ１をビーズ２又はビーズ３に置換した発光体２である。図２２に示したように、複数個の、図１の発光体２を保護パッケージ１３に内包して、保護パッケージ１３と成形により一体にした発光体２である。図２２のビーズ１をビーズ２又はビーズ３に置換した発光体２である。複数個の図１〜図１９の発光体２を図２２に示したように、パッケージ１３に内包してパッケージ１３と成形により一体にした発光体２である。図２３に示したように、図１２の発光体２のパッケージ上部３の表面と保護パッケージ１３を、成形により一体にした発光体２である。図２３のビーズ１をビーズ２又はビーズ３に置換した発光体２である。図１３〜図１７の発光体２を、図２３に示したようにパッケージ上部３と保護パッケージ１３を成形により一体にし発光体２である。
【００３０】
第５の実施例は、砲弾状の発光ダイオードの、パッケージの表面に凸部を有した実施例である。
図２４に示したように、パッケージ上部３が透明部分７で、パッケージ中部４、パッケージ下部５及びパッケージ底面６の表面に、例えば高さ０．０１ミリで無色透明又は透光性の着色をした球面状の凸部１１ａ（以下、球面状の凸部１１ａという）を有した発光体２である。図１〜図１１の発光体２のビーズ１又はビーズ２又はビーズ３を、球面状の凸部１１ａに置換した発光体２である。図２５に示したように、パッケージ上部３が透明部分７で、パッケージ中部４、パッケージ下部５及びパッケージ底面６の表面に、例えば高さ０．０３ミリで無色透明又は透光性の着色をした三角形状の凸部１１ｂ（以下、多角形状の凸部１１ｂという）を有した発光体２である。図１〜図１１の発光体２のビーズ１及びビーズ２及びビーズ３を、多角形状の凸部１１ｂに置換した発光体２である。
図２６に示したように、パッケージ上部３は透明部分７で、パッケージ中部４の表面に球面状の凸部１１ａを有し、パッケージ中部４、パッケージ下部５及び底面６の表面に、多角形状の凸部１１ｂを有した発光体２である。図１〜図１１の発光体２のビーズ１又はビーズ２又はビーズ３を、球面状の凸部１１ａ又は多角形状の凸部１１ｂに任意に置換した発光体２である。
【００３１】
第６の実施例は、砲弾状の発光ダイオードの、パッケージの表面に凹部を有した実施例である。
図２７に示したように、パッケージ上部３が透明部分７で、パッケージ中部４、パッケージ下部５及びパッケージ底面６の表面に、深さ０．０１ミリで無色透明又は透光性の着色をした球面状の凹部１１ｃ（以下、球面状の凹部１１ｃという）を有した発光体２である。図１〜図１１の発光体２のビーズ１及びビーズ２及びビーズ３を球面状の凹部１１ｃに任意に置換した発光体２である。図２８に示したように、パッケージ上部３が透明部分７で、パッケージ中部４、パッケージ下部５及びパッケージ底面６の表面に、高さ０．０３ミリで無色透明又は透光性の着色をした多角形状の凹部１１ｄ（以下、多角形状の凹部１１ｄという）を有した発光体２でる。図１〜図１１の発光体２のビーズ１及びビーズ２及びビーズ３を多角形状の凹部１１ｄに置換した発光体２である。
図２９に示したように、パッケージ上部３が透明部分７で、パッケージ中部４の表面に球面状の凹部１１ｃを有し、パッケージ下部５及び底面６に多角形状の凹部１１ｄを有した発光体２である。図１〜図１１の発光体２のビーズ１及びビーズ２及びビーズ３を球面状の凹部１１ｃ又は多角形状の凹部１１ｄに置換した発光体２である。
【００３２】
第７の実施例は、砲弾状の発光ダイオードの、パッケージの表面に凸部及び凹部を有した実施例である。
図３０に示したように、パッケージ上部３は透明部分７で、パッケージ中部４の表面に、球面状の凸部１１ａを有し、パッケージ下部５及び底面６の表面に、球面状の凹部１１ｃを有した発光体２である。図１〜図１１の発光体２のビーズ１及びビーズ２及びビーズ３を、球面状の凸部１１ａ又は多角形状の凸部１１ｂ又は球面状の凹部１１ｃ又は多角形状の凹部１１ｄを、組みあわせて置換した発光体２である。
【００３３】
第８の実施例は、平面状の発光ダイオードの、パッケージの表面に凸部又は凹部或いは凸部及び凹部を有した実施例である。
図３１に示したように、パッケージ上部３の表面の任意の部分に、球面状の凸部１１ａを有した発光体２である。図３１の球面状の凸部１１ａを、多角形状の凸部１１ｂ又は球面状の凹部１１ｃ又は多角形状の凹部１１ｄに置換した発光体２である。図１２〜図１７の発光体２のビーズ１を球面状の凸部１１ａ又は多角形状の凸部１１ｂ又は球状の凹部１１ｃ又は多角形状の凹部１１ｄに置換した発光体２である。
図３２に示したように、パッケージ上部３の任意の部分に、球面状の凸部１１ａを有し、球面状の凸部１１ａ有した以外の任意の部分に球面状の凹部１１ｃを有した発光体２である。図３２の球面状の凸部１１ａ及び球面状の凹部１１ｃを、球面状の凸部１１ａ又は多角形状の凸部１１ｂ又は球状の凹部１１ｃ又は多角形状の凹部１１ｄの、いずれか２種類以上と置換した発光体２である。
図１２〜図１７の発光体２のビーズ１を、球状の凸部１１ａ又は多角形状の凸部１１ｂ又は球状の凹部１１ｃ又は多角形状の凹部１１ｄを、組みあわせて置換した発光体２である。
【００３４】
第９の実施例は、砲弾状の発光ダイオードの、パッケージの内面に凸部又は凹部或いは凸部及び凹部を有した実施例である。
図３３に示したように、パッケージ上部３が透明部分７で、パッケージ中部４、パッケージ下部５及びパッケージ底面６の内面に、球面状の凸部１１ａを有した発光体２である。図３３の球面状の凸部１１ａを、多角形状の凸部１１ｂ又は球面状の凹部１１ｃ又は多角形状の凹部１１ｄに、置換又は組みあわせて置換した発光体２である。図１〜図１１の発光体のビーズ１、ビーズ２、ビーズ３を、球面状の凸部１１ａ又は多角形状の凸部１１ｂ又は球面状の凹部１１ｃ又は多角形状の凹部１１ｄに、置換又は組みあわせて置換し、図３３に習って、パッケージ上部３、パッケージ中部４、パッケージ下部５又は底面６の内面に有した発光体２である。
【００３５】
第１０の実施例は、平面状の発光ダイオードの、パッケージの内面に凸部又は凹部或いは凸部及び凹部を有した実施例である。
図３４に示したように、パッケージ上部３の内面の任意の部分に、球状の凸部１１ａを有した発光体２である。図３４の球面状の凸部１１ａを、多角形状の凸部１１ｂ又は球状の凹部１１ｃ又は多角形状の凹部１１ｄに、置換又は組みあわせて置換した発光体２である。図１２〜図１７の発光体のビーズ１、ビーズ２、ビーズ３を、球面状の凸部１１ａ又は多角形状の凸部１１ｂ又は球面状の凹部１１ｃ又は多角形状の凹部１１ｄに置換又は組みあわせて置換し、図３４に習って、パッケージ上部３、パッケージ中部４、パッケージ下部５又は底面６の内面に有した発光体２である。
【００３６】
第１１の実施例は、パッケージに凸部及び凹部を有した発光体２を、保護パッケージ１３と一体にした実施例である。
図３５に示したように、図２４の発光体２と保護パッケージ１３を、成形により一体にした発光体２である。実施例５〜実施例７及び実施例９（図２５〜図３０及び図３３）の発光体２を、図３５に示したように、保護パッケージ１３と一体にした発光体２である。
図３６に示したように、図３１の発光体２と保護パッケージ１３を、成形により一体にした発光体２である。実施例８及び実施例１０（図３１、図３２及び図３４）の発光体２を、図３６に示したように保護パッケージ１３と一体にした発光体２である。
【００３７】
第１２の実施例は、パッケージの表面に、ビーズと凸部又は凹部を組み合わせて有した場合である。
図３７に示したように、パッケージ上部３の表面が透明部分７で、パッケージ中部４の表面に複数の球面状の凸部１１ａを、パッケージ下部５及び底面６の表面に複数のビーズ１を有した発光体２である。
図３７のビーズ１を、ビーズ２、ビーズ３に置換した発光体２である。図３７の球面状の凸部１１ａを、多角形状の凸部１１ｂ又は球面状の凹部１１ｃ又は多角形状の凹部１１ｄに置換した発光体２である。図３７のビーズ１をビーズ２、ビーズ３に置換し、球面状の凸部１１ａを多角形状の凸部１１ｂ又は球面状の凹部１１ｃ又は多角形状の凹部１１ｄに置換した発光体２である。
【００３８】
第１３の実施例は、ビーズと凸部又は凹部のいずれかを任意に組み合わせて、このパッケージの内面に有した場合である。
図３８に示したように、パッケージ上部が透明部分７で、パッケージ中部の内面に球面状の凸部１１ａを有し、パッケージ下部及びパッケージ底面６の内面にビーズ１を有した発光体２である。
図３８のビーズ１をビーズ２、ビーズ３、球面状の凸部１１ａ、多角形状の凸部１１ｂ、球面状の凹部１１ｃ、多角形状の凹部１１ｄと置換し、球面状の凸部１１ａをビーズ１、ビーズ２、ビーズ３、多角形状の凸部１１ｂ、球面状の凹部１１ｃ、多角形状の凹部１１ｄと置換した発光体２である。
図１〜図１７のビーズ１、ビーズ２、ビーズ３をビーズ１、ビーズ２、ビーズ３、球面状の凸部１１ａ、多角形状の凸部１１ｂ、球面状の凹部１１ｃ、多角形状の凹部１１ｄと置換して、図３８に習ってパッケージの内面に有した発光体２である。
【００３９】
第１４の実施例は、ビーズ又は凸部又は凹部のいずれかを組み合わせた発光体２を、保護パッケージと一体にした場合である。
図３９に示したように、図３７で示した発光体２を、保護パッケージ１３に内包して保護パッケージ１３と一体にした発光体２である。
図３９のビーズ１をビーズ２、ビーズ３、球面状の凸部１１ａ、多角形状の凸部１１ｂ、球面状の凹部１１ｃ、多角形状の凹部１１ｄと置換し、球面状の凸部１１ａをビーズ１、ビーズ２、ビーズ３、多角形状の凸部１１ｂ、球面状の凹部１１ｃ、多角形状の凹部１１ｄと置換した発光体２である。
図１〜図１７のビーズ１１、ビーズ２、ビーズ３をビーズ１１、ビーズ２、ビーズ３、面状の凸部１１ａ、多角形状の凸部１１ｂ、球面状の凹部１１ｃ、多角形状の凹部１１ｄと置換して、図３９に習って発光体２と保護パッケージを一体にした発光体２である。
【００４０】
第１５の実施例は、実施例１〜１４の発光体２のパッケージに反射部を有した場合である。
図４０に示したように、パッケージ上部３が透明部分７で、パッケージ中部４及びパッケージ下部５の表面にビーズ１を固着し、底面６が、透光性の凸面状の反射部１２ａ（以下、透光性の反射部１２ａという）である発光体２である。図４１に示したように、パッケージ上部３が透明７で、パッケージ中部４及びパッケージ下部５の表面にビーズ１を固着し、底面６が、不透光性の平面状の反射部１２ｂ（以下、平面状の反射部１２ｂという）である発光体２である。図４２に示したように、パッケージ上部４及び底面６が透明部分７で、パッケージ中部４及びパッケージ下部５に、ビーズ１を透明接着剤で固着し、パッケージ下部５に、不透光性の凸面状の反射部１２ｃ（以下、凸面状の反射部１２ｃという）を内包した発光体２である。図４２の凸面状の反射部１２ｃが凹面状の反射部である発光体２である。
図４３に示したように、パッケージ上部３及び底面６にビーズ１を透明接着剤で固着し、パッケージ中部４及びパッケージ下部５の周囲に、曲面状の反射部１２ｄを有した発光体２である。
図４４に示したように、パッケージ上部３の表面に、ビーズ１を透明接着剤で固着し、パッケージ中部４及びパッケージ下部５の周囲に曲面状の反射部１２ｄを有し、底面６に、平面状の反射部１２ｂを有する発光体２である。図４４の平面上の反射部１１ｂが透光性の反射部１２ａ又は凸面状の反射部１２ｃ又は凹面状の反射部である発光体２である。
図４５に示したように、パッケージ上部３及び底面６が透明部分７で、パッケージ中部４及びパッケージ下部５の表面にビーズ１を有し、パッケージ下部５の任意の部分に凸面状の反射部分１２ｃを２個有した発光体２である。図４５の凸面状の反射部１２ｃを３個以上有する発光体２である。図４５で２個ある凸面状の反射部１２ｃの１個又は２個が透光性の反射部１２ａ又は凹面状の反射部である発光体２である。
第１の実施例〜第１４の実施例の発光体２に、反射部１２ａを第１５の実施例に示したように有した発光体２である。
【００４１】
第１６の実施例は、実施例１〜実施例１５に示した発光体２に、カバーケースを有した発光体２である。
図４６に示したように、図１に示した発光体２に、カバーケース１４を着脱自在に、又は透光性で任意色のエポキシ樹脂１５で固定した発光体２である。。図４７に示したように、図１２に示した発光体２のパッケージ上部の表面に、カバーケース１４を透光性で任意色のエポキシ樹脂１５で冠着して固定した発光体２である。図４８に示したように、複数個の図１２の発光体２とカバーケース１４を着脱自在に、又は任意色のエポキシ樹脂で固定した発光体２である。カバーケース１４を実施例１〜実施例１５の発光体２に、実施例１６に習って着脱自在又は固定して有した発光体２である
【００４２】
第１７の実施例は、半導体の発光部の代わりに、光伝搬体の発光部を使用した発光体２である。
図４９に示したように、光源１７の光を、光ファイバー１６の採光部１８から取り入れると、光ファイバー１６の端面である発光部１９（以下、端面発光部１９という）及び光ファイバー１６の任意の側面の発光部２０（以下、側面発光部２０という）から光が放射される。端面発光部１９及び側面発光部２０の任意の表面にビーズ１を接着剤で固着した発光体２である。図５０に示したように、端面発光部１９及び側面発光部２０の任意の表面に、球面状の凸部１１ａを有した発光体２である。端面発光部１９又は側面発光部２０に、ビーズ１、ビーズ２、ビーズ３、球面状の凸部１１ａ、多角形状の凸部１１ｂ、球面状の凹部１１ｃ、多角形状の凹部１１ｄを、置換又は組みあわせて置換した発光体２である。端面発光部１９又は側面発光部２０の、いずれかを有し、この発光部に前記に示した本発明を施した発光体２である。
【００４３】
第１８の実施例は、第１７の実施例の発光体２と、保護パッケージを一体にした発光体２の実施例、及び第１７の実施例の発光体２とカバーケースを冠着させて固定した発光体２の実施例である。
図５１に示したように、光ファイバー１６の端面発光部１９又は側面の発光部２０と保護パッケージ１３を、任意色のエポキシ樹脂又は成形して一体にした発光体２である。図５２に示したように、光ファイバー１６の端面発光部１９及び側面の発光部２０にカバーケース１４を、任意色のエポキシ樹脂で冠着して固定した発光体２である。
【００４４】
本実施例は、半導体の発光部に発光ダイオードの発光部を用いているが、レーザーダイオードや液晶やエレクトロルミネンス等、半導体を使用した全ての発光体に適応され、また、その発光部の有し方も本実施例に限定されない。
本実施例は、光伝搬体の発光部に、線状の光ファイバーの発光部を用いているが、その形状は筒状、棒状、球状、円錐状、多角形状、平面状等でもよく、また、光ファイバー以外にガラスや樹脂等の各種の光伝搬体にも適応され、本実施例に限定されない。
本発明の、ビーズ、凸部、凹部の組合せや、また、これらがパッケージに有する部分やその範囲等については、本実施例に限定されない。
本発明の実施例では、ビーズを固着する手段に透明接着剤を使用しているが、着色した透光性の接着でもよく、また、ビーズを固着する手段には、透光性樹脂や熱又は薬品又は融着又は圧着等のように種々の手段があり、本実施例に限定されるものではない。また、ビーズ、凸部、凹部は、パッケージの成形時にパッケージと一体成形にしてパッケージに有するようにしてもよい。
本実施例では、発光体２と保護パッケージ又はカバーケースを成形する手段により一体にしているが、他に接着、融着、圧着等の各手段があり本実施例の手段に限定されない。
本発明の発光体２は、保護パッケージ、カバーケースを設ける場所や位置及び設ける手段は本実施例に限定するものではない。
本発明の発光体２は、ビーズ及び凸部及び凹部及び反射部及び設ける場所、設け方、、数量、及びこれらの組合せは、本実施例に限定されるものではない。
【００４５】
【発明の効果】
上述した各実施例は、以下に示す効果を得ることができる。
【００４６】
第１〜第１４の実施例の、半導体の発光部を有する発光体２は、発光部を有するパッケージの任意の部分に透明部分を有し、このパッケージの透明部分以外の任意の部分に、透光性のビーズ又は透光性の凸部又は透光性の凹部を有しているので、発光部から発光された光が、パッケージの透明部分を通る光は、パッケージの光放射特性を維持した状態で、直進光としてパッケージの外部に放射され、透光性のビーズ又は透光性の凸部又は透光性の凹部を通る光は、透光性のビーズ又は透光性の凸部又は透光性の凹部によって、明るい拡散光としてパッケージの外部に散光する。発光ダイオードの直進光と明るい拡散光を同時に放射できるので、従来の発光ダイオードのように、光を拡散するための特別の技術や工夫の必要もなく、製品の構造も簡単に出来、製造コストも下げる事が出来る。従来の発光ダイオードを複数個使用した場合は本実施例の発光体２の特徴が一層強調される。ビーズ又は透光性の凸部又は透光性の凹部に透光性の着色を施した場合は、着色された色と発光部より発光される発光色や透光性のパッケージの色が混ざった発光色を作ることが出来るので、１つの発光ダイオードで、２色以上の光が出せる。
【００４７】
第１５の実施例の、パッケージに反射部を有した発光体２は、発光部より発光する光を、パッケージの目的の方向に効率よく集光又は散光させ、是をパッケージの外部に放射する。本実施例の反射部はパッケージの目的の部分から特に明るい光を放射する場合、又はパッケージから出る光の明るさを均一にする場合に特に有効である。是により第１〜第１０の実施例の発光体２の特徴が、一層生かされる。
【００４８】
第１６の実施例の、発光体２のパッケージとカバーケースを一体にした発光体２は、カバーケースにより、ビーズ又は凸部又は凹部を傷や汚れから保護する。また、カバーケースの形状を筒状、球状、楕円状、多角形状、動植物形状、キャラクター状等にして、第１〜第１３の実施例の発光体２に冠着すると、本発明の発光体２の特徴を生かした新型ランプが出来る。
発光体２のパッケージとカバーケースを一体にした発光体２は、カバーケースにより、ビーズ又は凸部又は凹部を傷や汚れから保護する。また、カバーケースの形状を筒状、球状、楕円状、多角形状、動植物形状、キャラクター状等にして、第１〜第１５の実施例の発光体２に冠着すると、本発明の発光体２の特徴を生かした新型ランプが出来る。
【００４９】
第１７の実施例の、光伝搬体の端面や側面等に発光部を有した発光体２は、この発光部の全部分又は透明部分以外の任意の部分に、透光性のビーズ又は透光性の凸部又は透光性の凹部を有しているので、各発光部から発光された光は、直進光及び明るい拡散光となって放射される。光ファイバーの直進光と明るい拡散光を同時に放射できるので、従来の光ファイバーの発光部のように、光を拡散するための特別の技術や工夫の必要もなく、製品の構造も簡単に出来、製造コストも下げる事が出来る。
複数の光ファイバーの発光部を複数個した場合は本実施例の発光体２の特徴が一層強調される。ビーズ又は透光性の凸部又は透光性の凹部に透光性の着色を施した場合は、着色された色と発光部より発光される発光色や光ファイバーの色が混ざった発光色を作ることが出来るので、１つの発光部で２色以上の光が出せる。
【００５０】
【図面の簡単な説明】
【図１】パッケージ上部以外の表面に球面状のビーズ１を固着した本発明の発光体２の断面図。
【図２】パッケージ上部の一部及び他の部分の表面に球面状のビーズ１を固着した本発明の発光体２の断面図。
【図３】パッケージ上部及びパッケージの中部に球面状のビーズ１を固着した本発明の発光体２の断面図。
【図４】パッケージ上部、パッケージ下部及び底面の表面にビーズ１を固着した本発明の発光体２の断面図。
【図５】パッケージ中部にビーズ１を固着した本発明の発光体２の断面図。
【図６】パッケージ上部、パッケージ中部、パッケージ下部の半周部分及び底面の表面に、ビーズ１を固着した本発明の発光体２の断面図。
【図７】パッケージ上部及びパッケージ中部の半周部分の表面に、ビーズ１を固着した本発明の発光体２の断面図。
【図８】パッケージ上部の表面にビーズ２を、パッケージ中部、パッケージ下部及び底面の表面にビーズ１を、それぞれ固着した本発明の発光体２の断面図。
【図９】パッケージ中部の表面にビーズ１を、パッケージ下部及び底面の表面にビーズ２を、それぞれ固着した本発明の発光体２の断面図。
【図１０】パッケージ上部の表面にビーズ３を、パッケージ中部、パッケージ下部及び底面の表面にビーズ１を、それぞれ固着した本発明の発光体２の断面図。
【図１１】パッケージ中部の表面にビーズ１を、パッケージ下部及び底面の表面にビーズ３を、それぞれ固着した本発明の発光体２の断面図。
【図１２】パッケージ上部の表面の任意の部分に、ビーズ１を固着した本発明の発光体２の断面図。
【図１３】パッケージ上部の表面の任意の部分にビーズ２を、他の任意の部分にビーズ１を、それぞれ固着した本発明の発光体２の断面図。
【図１４】パッケージ上部の表面の任意部分にビーズ３を、他の任意部分にビーズ１を、それぞれ固着した本発明の発光体２の断面図。
【図１５】パッケージの凸部及びパッケージ上部の任意の部分の表面に、ビーズ１を固着した本発明の発光体２の断面図。
【図１６】パッケージの凹部の表面にビーズ１を固着した本発明の発光体２の断面図。
【図１７】パッケージの凹部の表面に、ビーズ１を固着した本発明の発光体の断面図。
【図１８】パッケージ中部、パッケージ下部及び底面の内面に、ビーズ１を有した本発明の発光体２の断面図。
【図１９】パッケージ上部の内面に、ビーズ１を有した本発明の発光体２の断面図。
【図２０】図１の発光体２と保護パッケージを一体にした本発明の発光体２の断面図。
【図２１】パッケージ上部、パッケージ中部、パッケージ下部及び底面の表面に、ビーズ１を固着した発光体２と保護パッケージを一体にした本発明の発光体２の断面図。
【図２２】複数個の図１の発光体２と保護パッケージを一体にした本発明の発光体２の断面図。
【図２３】図１２の発光体２と保護パッケージを一体にした本発明の発光体２の断面図。
【図２４】パッケージ上部以外の表面に、球面状の凸部を有した本発明の発光体２の断面図。
【図２５】パッケージ上部以外の表面に、多角形状の凸部を有したを本発明の発光体２の断面図。
【図２６】パッケージ中部の表面に球面状の凸部を、パッケージ下部及び底面の表面に多角形状の凸部を有した本発明の発光体２の断面図。
【図２７】パッケージ中部、パッケージ下部及び底面の表面に、球面状の凹部を有した本発明の発光体２の断面図。
【図２８】パッケージ中部、パッケージ下部及び底面の表面に、多角形状の凹部を有した本発明の発光体２の断面図。
【図２９】パッケージ中部の表面に球面状の凹部を、パッケージ下部及び底面の表面に多角形状の凹部を有した本発明の発光体２の断面図。
【図３０】パッケージ中部の表面に球面状の凸部を、パッケージ下部及び底面の表面に球面状の凹部を有した本発明の発光体２の断面図。
【図３１】パッケージ上部の表面に、球面状の凸部を有した本発明の発光体２の断面図。
【図３２】パッケージ上部の表面に、球面状の凸部及び球面状の凹部を有した本発明の発光体２の断面図。
【図３３】パッケージ中部、パッケージ下部及び底面の内面に、球面状の凸部を有した本発明の発光体２の断面図。
【図３４】パッケージ上部の内面に、球面状の凸部を有した本発明の発光体２の断面図。
【図３５】図２４の発光体２と保護パッケージを一体にした本発明の発光体２の断面図。
【図３６】図３１の発光体２と保護パッケージを一体にした本発明の発光体２の断面図。
【図３７】パッケージ中部の表面に球面状の凸部を、パッケージ下部及び底面の表面にビーズ１を、それぞれ固着した本発明の発光体２の断面図。
【図３８】パッケージ中部の内面に球面状の凸部を、、パッケージ下部及び底面の内面にビーズ１を、それぞれ有した本発明の発光体２の断面図。
【図３９】図３７の発光体２と保護パッケージを一体に本発明の発光体２の断面図。
【図４０】パッケージ中部及びパッケージ下部の表面にビーズ１を固着し、底面が透光性で凸面状の反射部を有した本発明の発光体２の断面図。
【図４１】パッケージ中部及びパッケージ下部の表面に、ビーズ１を固着し、底面が平面状の反射部を有した本発明の発光体２の断面図。
【図４２】パッケージ中部及びパッケージ下部の表面に、ビーズ１を固着し、パッケージ下部に凸面状の反射部を内包した本発明の発光体２の断面図。
【図４３】パッケージ上部及び底面の表面にビーズ１を固着し、パッケージ中部及びパッケージ下部に曲面状の反射部を有した本発明の発光体の断面図。
【図４４】パッケージ上部の表面にビーズ１を固着し、パッケージ中部、パッケージ下部に曲面状の反射部、及び底面に平面状の反射部を有した本発明の発光体の断面図。
【図４５】パッケージ中部及びパッケージ下部の表面にビーズ１を固着し、底面に２個の凸面状の反射部を有した本発明の発光体の断面図。
【図４６】図１の発光体２にカバーケースを冠着させた本発明の発光体２の断面図。
【図４７】図１２の発光体２にカバーケースを有した本発明の発光体の断面図。
【図４８】複数個の、図１２の発光体２にカバーケースを有した本発明の発光体の断面図。
【図４９】光ファイバーの端面発光部、側面発光部にビーズ１を固着した本発明の発光体の断面図。
【図５０】光ファイバーの端面発光部、側面発光部に球面状の凸部を有した本発明の発光体２の断面図。
【図５１】図４９の発光体２の発光部に、保護ケースを有した本発明の発光体２の断面図。
【図５２】図４９の発光体２の発光部に、カバーケースを有した本発明の発光体２の断面図。
【符号の説明】
１　　　発光部
２　　　電極
３　　　パッケージ上部
４　　　パッケージ中部
５　　　パッケージ下部
６　　　底面
７　　　透明部分
８ａ　　ビーズ１
８ｂ　　ビーズ２
８ｃ　　ビーズ３
９　　　パッケージの凸部
１０　　パッケージの凹部
１１ａ　球面状の凸部
１１ｂ　多角形状の凸部
１１ｃ　球面状の凹部
１１ｄ　多角形状の凹部
１２ａ　透光性の反射部
１２ｂ　平面状の反射部
１２ｃ　凸面状の反射部
１２ｄ　曲面状の反射部
１３　　保護パッケージ
１４　　カバーケース
１５　　エポキシ樹脂
１６　　光ファイバー
１７　　光源
１８　　採光部
１９　　端面発光部
２０　　側面発光部
【図１】
2004014895.tif 000003
【図２】
2004014895.tif 000004
【図３】
2004014895.tif 000005
【図４】
2004014895.tif 000006
【図５】
2004014895.tif 000007
【図６】
2004014895.tif 000008
【図７】
2004014895.tif 000009
【図８】
2004014895.tif 000010
【図９】
2004014895.tif 000011
【図１０】
2004014895.tif 000012
【図１１】
2004014895.tif 000013
【図１２】
2004014895.tif 000014
【図１３】
2004014895.tif 000015
【図１４】
2004014895.tif 000016
【図１５】
2004014895.tif 000017
【図１６】
2004014895.tif 000018
【図１７】
2004014895.tif 000019
【図１８】
2004014895.tif 000020
【図１９】
2004014895.tif 000021
【図２０】
2004014895.tif 000022
【図２１】
2004014895.tif 000023
【図２２】
2004014895.tif 000024
【図２３】
2004014895.tif 000025
【図２４】
2004014895.tif 000026
【図２５】
2004014895.tif 000027
【図２６】
2004014895.tif 000028
【図２７】
2004014895.tif 000029
【図２８】
2004014895.tif 000030
【図２９】
2004014895.tif 000031
【図３０】
2004014895.tif 000032
【図３１】
2004014895.tif 000033
【図３２】
2004014895.tif 000034
【図３３】
2004014895.tif 000035
【図３４】
2004014895.tif 000036
【図３５】
2004014895.tif 000037
【図３６】
2004014895.tif 000038
【図３７】
2004014895.tif 000039
【図３８】
2004014895.tif 000040
【図３９】
2004014895.tif 000041
【図４０】
2004014895.tif 000042
【図４１】
2004014895.tif 000043
【図４２】
2004014895.tif 000044
【図４３】
2004014895.tif 000045
【図４４】
2004014895.tif 000046
【図４５】
2004014895.tif 000047
【図４６】
2004014895.tif 000048
【図４７】
2004014895.tif 000049
【図４８】
2004014895.tif 000050
【図４９】
2004014895.tif 000051
【図５０】
2004014895.tif 000052
【図５１】
2004014895.tif 000053
【図５２】
2004014895.tif 000054